(57)【要約】【課題】ユーザが番組名の識別しやすさを損なわずに、同時に表示できる番組数が増やせる電子番組表を提供すること。【解決手段】時間ごとに規定の文字長を割り当て、その文字長内に合わせた短縮番組タイトルを扱う。送信側では割り当てられた文字長内でユーザが識別できるように編集した短縮番組タイトルを送信する。受信側では番組時間ごとに規定された文字長の枠を確保し、短縮番組タイトルを表示する。また、番組表上で短縮番組タイトルが表示されたある番組を指定すると、短縮化していない正式な番組タイトルを表示することで、簡単に通常の番組タイトルを表示させることができ、かつ短縮番組タイトルと通常の番組タイトルの関係を掴みやすくすることができる。これにより、番組名の識別しやすさを大きく損なうことなく、番組表に同時に表示する番組数を増やすことができる。【選択図】図１
2006295578.tif 000002
【特許請求の範囲】
【請求項１】
番組時間長に対する文字長の規定と、
規定文字長以下に短縮化された短縮番組タイトルを送出するための
送出形式変換手段を備えた番組表データ送出装置。
【請求項２】
規定文字長以下に短縮化された短縮番組タイトルに加えて、
短縮化していない正式な番組タイトルも送出する送出形式変換手段とした
請求項１記載の番組表データ送出装置。
【請求項３】
番組時間長に対する文字長の規定と、
規定文字長以下に短縮化された短縮番組タイトルを表示する
表示手段を備えた電子番組表表示装置。
【請求項４】
電子番組表上で短縮番組タイトルが表示されたある番組を
指定すると、短縮化していない正式な番組タイトルが表示される
表示手段を備えた請求項３記載の電子番組表表示装置。
【請求項５】
番組時間長に対する文字長の規定値も送出する送出形式変換手段と、
送信されてきた規定値も利用する表示手段を備えた
請求項１および請求項３記載の電子番組表送受信システム。
【請求項６】
番組時間長に対する文字長の規定があり、
規定文字長以下に短縮化された短縮番組タイトルを送出する番組表データ送出方法。
【請求項７】
規定文字長以下に短縮化された短縮番組タイトルに加えて、
短縮化していない正式な番組タイトルを送出する請求項６記載の番組表データ送出方法。
【請求項８】
番組時間長に対する文字長の規定があり、
規定文字長以下に短縮化された短縮番組タイトルを表示する電子番組表表示方法。
【請求項９】
電子番組表上で短縮番組タイトルが表示されたある番組を
指定すると、短縮化していない正式な番組タイトルが表示される
請求項８記載の電子番組表表示方法。
【請求項１０】
番組時間長に対する文字長の規定値が送出され、送信されてきた規定値を利用する
請求項８記載の電子番組表表示方法。
【発明の詳細な説明】
【技術分野】
【０００１】
本発明は、番組の放送内容に関するデータを加工して、テレビや携帯電話、パソコン等に電子番組表を提示する番組表データ送出装置および電子番組表表示装置に関するものである。
【背景技術】
【０００２】
近年、電子番組表はデジタル放送の開始によって、送信されるチャンネルが多くなり、
一チャンネル一日当たり数十番組あり、番組ごとに数十文字から数百文字にわたる番組タイトルデータが送信され、番組タイトル情報の総量は膨大なものとなっている。
【０００３】
一方でテレビ等の電子番組表は、新聞の番組欄なみの小さなフォントサイズでは文字の識別がしづらいため、一度に表示できる文字量は新聞の番組欄に比べてかなり少なくなる。
【０００４】
一度に表示する番組数を増やそうとした場合、一番組当たりの文字数を減らす方法があるが、単純に送信されてきた番組タイトルを前から数文字で切ったのでは、多くの番組で番組名を識別しづらいものとなる。
【０００５】
従来の技術では、送信される番組情報に短縮化した番組タイトルを含み、短縮化した番組タイトルによってユーザの認識しやすさ向上を図るものがある。
【０００６】
（特許文献１［００２８］の項参照）。
【０００７】
図５は、前記特許文献１に記載された、従来の番組表データ送出装置および電子番組表表示装置の概略構成図である。図５において、番組表データ送出装置では正式番組情報１０１は短縮化していない通常の正式番組タイトル１０２を含み、別途短縮化した短縮番組タイトル１０３と共に、送出形式変換手段１０４によって変換後、送出される。
【０００８】
受信側では多重情報分離手段１１０によって番組情報が抽出され、正式番組情報管理手段１１１で正式番組タイトル１０２や番組開始・終了時刻が管理される。また、簡略化番組情報管理手段１１２は短縮番組タイトル１０３や番組開始・終了時刻を管理すると共に、簡略化番組情報の更新時に簡略化番組情報のみを番組情報記憶手段１１３によって不揮発性メモリ等に保存していた。
【０００９】
番組表表示手段１１４は、通常正式番組タイトル１０２を表示するが、いったん電源を切った場合に、正式番組タイトル１０２を受信するまで、短縮番組タイトル１０３を用いて電子番組表を表示していた。
【特許文献１】特許第３２７９１２４号公報
【発明の開示】
【発明が解決しようとする課題】
【００１０】
しかしながら、前記従来の構成では、正式番組タイトルを取得するまでの間だけ短縮番組タイトルを表示するため、正式番組タイトルの表示の時と同じ表示サイズとする必要があり、同時に表示する番組数を増やす目的には合わない。
【００１１】
また、短縮形番組タイトルの文字長に規定がなく、番組表示枠のサイズに合わせて編集ができない。例えばある番組で4文字に短縮化し、ある同じ時間長の番組で８文字に短縮化した場合、4文字に合わせて表示すると８文字の番組は途中で切れてしまって認識しにくく、８文字に合せて表示すると４文字の番組は空きスペースができ、できるだけ多くの番組を表示するのに向かない。このように同時に表示する番組数を増やして番組当たりの文字長を減らした場合に、ユーザの番組の認識しやすさが損なわれるという課題を有していた。
【００１２】
本発明は、前記従来の課題を解決するもので、ユーザの認識しやすさを残しながら、一番組当たりの表示文字数を短くし、同時に表示できる番組数を増やすことを目的とする。
【課題を解決するための手段】
【００１３】
前記従来の課題を解決するために、本発明の番組表データ送出装置および電子番組表表示装置は番組時間長に対する文字長を規定し、規定文字長以下に短縮化された短縮番組タイトルを送出するための送出形式変換手段と、短縮番組タイトルを表示する表示手段を備えた構成とする。
【００１４】
本構成によって、番組表で一度に表示できる番組数を増やすために、一番組当りの表示文字数を短くするとき、文字長を規定せずに編集した短縮番組タイトルに比べて、文字長を規定して編集された短縮番組タイトルの方が、ユーザにとって識別しやすくなることが期待できる。
【００１５】
また、本発明の番組表データ送出装置および電子番組表表示装置は、番組表上で短縮番組タイトルが表示されたある番組を指定すると、短縮化していない正式な番組タイトルが表示されるようにすることで、簡単に正式な番組タイトルを表示させることができ、かつ短縮番組タイトルと正式な番組タイトルの関係を掴みやすくすることができる。
【００１６】
また、本発明の番組表データ送出装置および電子番組表表示装置は、文字長の規定値を番組表データ送出装置から送出したものを、電子番組表表示装置で受信して利用するもので、運用値の変更に即座に対応し、表示方法を変更された規定値に合せて変えることができる。
【発明の効果】
【００１７】
本発明の番組表データ送出装置および電子番組表表示装置によれば、一番組当たりの表示文字数を短くしても、ユーザの識別しやすさを大きく損なうことなしに、同時に表示する番組数を増やすことができる。
【発明を実施するための最良の形態】
【００１８】
以下本発明を実施するための最良の形態について、図面を参照しながら説明する。
【００１９】
（実施の形態１）
図１は、本発明の実施の形態１における番組表データ送出装置および電子番組表表示装置の概略構成図である。
図１において、図５と同じ構成要素については同じ符号を用い、説明を省略する。
【００２０】
図１において、番組情報管理手段２０１は受信した番組情報を管理する手段で、受信後、多重情報分離手段で分離された、正式番組タイトル１０２と、短縮番組タイトル１０３などを含む番組情報と、番組タイトル長規定表２０２を保持する。番組情報管理手段２０１は、同じ番組の情報として正式番組タイトルと短縮番組タイトルを結び付けて管理しておき、番組情報記憶手段１１３によって不揮発性メモリ等で記憶することで、電源を入れ直した直後でも、短縮番組タイトルと正式番組タイトルが対で使用できるようにしている。
【００２１】
番組タイトル長規定表２０２は、番組時間長ごとに割り当てる短縮番組タイトルの文字長を規定するもので、番組表データ送出装置側で番組タイトルの文字列を編集する際に用いる。この詳細は図２を使いながら説明する。
【００２２】
番組タイトル長規定表２０３は、電子番組表表示装置側で利用される表示文字長の規定表で、この規定表は送出形式変換手段によって番組表データ送出装置から送信されるデータ内に含まれ、多重情報分離手段１１０で規定値が分離され、番組情報管理手段２０１で規定表を管理する。この規定表の更新により短縮番組タイトルの規定の長さを可変にして運用できるようになる。
【００２３】
図２は、本発明の実施の形態１における番組表データ送出装置および電子番組表表示装置の番組タイトル長規定表の例を示す図である。図２において、番組時間長ごとに割り当てる短縮番組タイトルの文字長を規定している。
【００２４】
例えば３０分番組では４文字を割り当て、７５分番組でも１０４分番組でも９０分番組相当の１２文字を割り当て、その文字長以内に短縮番組タイトルを編集して送信する。
【００２５】
また、番組表示上で最初の行は分の数字を表示させ、次の行からは分の数字を表示しない場合、１文字程度増やしてもいい。例えば６０分９文字、９０分１４文字となる。
【００２６】
さらに、３０分当たりの文字数は３文字や８文字でもいい。
【００２７】
また、最小単位は２０分や１時間などとしてもよい。
【００２８】
番組時間長に比例して情報量を増やした短縮番組タイトルは、たいていの場合そのまま表示されるため無駄がなく、ユーザにとって認識しやすいことが期待できる。
【００２９】
また、番組表の表示システムに合せて文字数や最小単位を変えて規定を最適化することで、よりユーザの理解しやすい電子番組表を提供することができる。
【００３０】
図３は、受信側で表示される、本発明の実施の形態１における番組表データ送出装置および電子番組表表示装置の番組表表示の例を示す図である。
【００３１】
表示枠は例えば３０分を１単位としたチャンネル毎の最小単位の枠であり、番組表示枠３０１はこの表示枠を組み合わせたもので、ここに番組開始分と短縮番組タイトル１０２が表示される。カーソル３０２は、現在選択されている番組を示す。
【００３２】
番組開始・終了時刻３０３には、現在選択されている番組の開始時刻と終了時刻を表示する。正式番組タイトル３０４には、現在選択されている番組の正式番組タイトル１０２を表示する。
【００３３】
図４は、電子番組表表示装置側の番組表表示アルゴリズムである。以下に電子番組表表示装置の番組表表示アルゴリズム例を、図４を参照しながら説明する。
【００３４】
番組表表示手段１１４は表示を開始すると番組情報管理手段２０１から表示指定日の番組情報を読み込む。(Ｓ４０１）
表示番組には表示枠の各３０分に最も占める割合の大きい番組を選ぶ。（Ｓ４０２）
前の表示枠と別の番組なら短縮番組タイトル１０３の先頭からのN文字を表示し、同じ番組なら続きのM文字を表示する（Ｓ４０３〜Ｓ４０５）。これらの文字数は番組タイトル長規定表２０３の規定値を用いる。先頭からの表示N文字は番組タイトル規定表２０３の最小の文字数、この例では４文字、を用いる。続きのM文字は最初の行と次の行の差の
文字数、この例ではこれも４文字、を用いる。
【００３５】
また、番組表示枠の文字数より短縮番組タイトルが長い場合は、途中で切ってもよいし、フォントを小さくするなどしてもよい。なお、最も占める割合の大きい番組以外は表示しない。
【００３６】
省略した番組はその箇所の枠線を、色を変えることで番組が省略されていることを示す。（Ｓ４０６）
この処理を表示枠全体で繰り返す。（Ｓ４０７）
視聴している現在番組を選んで背景色を変えるなどしてカーソル３０２とし、表示枠外部に番組開始・終了時刻３０３と正式番組タイトル３０４を表示する。（S４１１〜Ｓ４１２）
ユーザがリモコン上下左右ボタン操作などでカーソルを移動させる時も、背景色を変えるとともに、番組開始・終了時刻と正式番組タイトルを変更する。（Ｓ４１１〜Ｓ４１２）
上下左右ボタンで選択した番組について、表示枠外に正式番組タイトルを表示することで、簡単な操作で正式番組タイトルを表示させることができるとともに、番組表示枠内に短縮番組タイトルも表示されているため、短縮番組タイトルと正式番組タイトルとの関係をユーザが掴みやすくなる。
【００３７】
かかる構成により、規定された文字長以下に短縮化された短縮番組タイトルの送出と、電子番組表表示装置側でもこの短縮番組タイトルを表示することと、選択された番組について正式番組タイトルも表示することにより、一番組当たりの表示文字数を短くしても、ユーザの認識しやすさを残しながら、同時に表示できる番組数を増やすことができる。
【００３８】
なお、本実施の形態において、番組タイトル長規定表を送信する例を示したが、規定長を固定化して運用する場合、送出しなくてもよい。
【００３９】
また、今回の例では時間軸を縦軸とし、チャンネルを横軸としたが、逆に時間軸を横軸とした表示としてもよい。
【００４０】
また、時間帯ごとに規定文字長や表示枠サイズを変えてもよい。
【００４１】
また、番組時間長毎に複数のタイトル長を規定するとともに、複数の長さの短縮番組タイトルを作成、送出、受信、および管理しておき、時間帯などで使い分けを行ってもよい。
【００４２】
また、短縮番組タイトルを正式番組情報１０１とは別の送出装置から送出し、正式番組情報１０１の同じ番組に特定できるIDを短縮番組タイトルと一緒に送出する構成でもよい。
【００４３】
また、表示しなくする番組を選ぶ際に、時間が短いと理由だけでなくジャンルなどの情報を加えて加味して選別するようにしてもよい。
【００４４】
また、最小の規定文字長、例えば４文字、でユーザが識別できる文字列にできない場合は、ニュースなどの特定アイコンを決めておきそのアイコンのコードを送ることにしてもよい。
【産業上の利用可能性】
【００４５】
本発明にかかる番組表データ送出装置および電子番組表表示装置は同時に表示できる番組数を増やすことが可能になるので、テレビや携帯電話、パソコン等の電子番組表を提示する表示装置として有用である。
【図面の簡単な説明】
【００４６】
【図１】本発明の実施形態１における番組表データ送出装置および電子番組表表示装置の概略構成図
【図２】本発明の実施形態１における番組表データ送出装置および電子番組表表示装置の番組タイトル長規定表の例を示す図
【図３】本発明の実施形態１における番組表データ送出装置および電子番組表表示装置の番組表表示の例を示す図
【図４】本発明の実施形態１における番組表データ送出装置および電子番組表表示装置の番組表表示処理の流れを示す図
【図５】従来の番組表データ送出装置および電子番組表表示装置の概略構成図
【符号の説明】
【００４７】
１０１    正式番組情報
１０２    正式番組タイトル
１０３    短縮番組タイトル
１０４    送出形式変換手段
１１０    多重情報分離手段
１１１    正式番組情報管理手段
１１２    簡略化番組情報管理手段
１１３    番組情報記憶手段
１１４    番組表表示手段
２０１    番組情報管理手段
２０２    番組タイトル長規定表
２０３    番組タイトル長規定表
３０１    番組表示枠
３０２    カーソル
３０３    番組開始・終了時刻
３０４    正式番組タイトル
【図１】
2006295578.tif 000003
【図２】
2006295578.tif 000004
【図３】
2006295578.tif 000005
【図４】
2006295578.tif 000006
【図５】
2006295578.tif 000007